(57)【要約】  【課題】跳ね上げ回動式の上蓋を備えている展示ケースにおいて、美感に優れ、かつ、大型化することなく展示空間を広げることのできる構造とする。  【手段】上蓋２の左右側部でかつ後部に板材製の支持体１０を下向きに突設している。支持体１０はアーム部２１を備えており、アーム部２１を本体フレーム３に蝶番２４によって取付けている。支持体１０はガスシリンダ２５で上向き回動方向に付勢されている。更に、付勢補助用の引っ張りばね２８を設けている。開蓋状態で本体フレーム３からは板状の支持体１０が突出するに過ぎないため、展示空間を広げることができる。また、ガスシリンダが全く露出しないこと、支持体１０は閉蓋状態で全く露出しないことにより、美感に優れている。【選択図】      図５
2006110250.tif 000002
【特許請求の範囲】
【請求項１】
上方を展示空間としたケース本体と、前記展示空間を上方から塞ぐ上蓋とを備えており、前記上蓋は、その後端部を中心にして跳ね上げ回動し得るように配置されていると共に、展示空間を視認できる透明板が備えられている展示ケースであって、
前記ケース本体のうち展示空間を挟んだ左右両側の部位に、上蓋の回動を支持する支持体が、上蓋の回動によって展示空間の上方と下方とに移動するように設けられており、展示空間よりも下方の部位に、前記支持体を上向きに付勢して上蓋の開閉動を補助するアクチェータが配置されている、
展示ケース。
【請求項２】
前記左右の支持体は板材で形成されていて、その板厚方向が展示ケースの間口方向と同じになるように配置されている、
請求項１に記載した展示ケース。
【請求項３】
前記アクチェータはガスシリンダであって、伸長しつつ前傾することによって上蓋の開き動を助長するように配置されており、更に、ケース本体の内部に、前記支持体を手前側に引っ張るばねを、上扉の開度に比例してばね力が弱くなるように配置するか、又は、上扉が途中まで開いた状態を境にして前半部では上扉の開き動を付勢し後半部では開き動を抑制するように配置している、
請求項１又は２に記載した展示ケース。
【請求項４】
前記支持体の後端部をケース本体の後部に軸支手段にて回動可能に取付けることにより、上扉の開閉動が許容されている、
請求項１〜３のうちの何れかに記載した展示ケース。
【発明の詳細な説明】
【技術分野】
【０００１】
本願発明は、美術品類や商品等の各種物品を展示する展示ケースに関するものである。
【背景技術】
【０００２】
展示ケースの一種に、一般成人の腰から胸程度の高さで人が展示物を上方から覗き込むタイプがある。このタイプの展示ケースは、上方を展示空間と成したケース本体と、展示空間を上方から塞ぐ上蓋とを備えており、前記上蓋は、その後端部を中心にして跳ね上げ回動し得るようにケース本体に取付けられていると共に、展示空間を視認できる透明板が備えられている。
【０００３】
そして、展示ケースは上蓋の跳ね上げ回動を容易ならしめるアクチェータ（ダンパー手段）の一例としてのガスシリンダ（ガススプリング）を備えており、ガスシリンダの配置形態として、例えば特許文献１に記載されているように、展示空間の左右両側にガスシリンダを設けているものがある。
【特許文献１】特開２００３−１０２６００号公報
【発明の開示】
【発明が解決しようとする課題】
【０００４】
しかし、この従来技術では、開蓋状態でガスシリンダの全体が露出しており、また、閉蓋状態でも展示空間の奥部の左右側方にガスシリンダを視認できるため、体裁が悪いという問題があった。特にガスシリンダによる上蓋の支持強度を高くするにはガスシリンダを出来るだけ手前側に配置してしかも長さ（ストローク）の長いものを使用しなければならないため、上記した体裁の問題が一層顕著に現れることになる。
【０００５】
また、ガスシリンダは外筒と内筒とを備えていて断面円形に形成されており、ある程度の太さがあるため、展示空間の左右外側に形成されるガスシリンダの配置空間もある程度の左右幅が必要であり、このため、展示空間の間口がそれだけ浸食されるという問題があった（展示空間の間口を広くすると，展示ケースの左右横幅を大きくなって展示ケースの全体が大型化することになる）。
【０００６】
本願発明は、このような現状を改善することを課題とするものである。
【課題を解決するための手段】
【０００７】
本願発明の展示ケースは、基本構成として、上方を展示空間としたケース本体と、前記展示空間を上方から塞ぐ上蓋とを備えており、前記上蓋は、その後端部を中心にして跳ね上げ回動し得るように配置されていると共に、展示空間を視認できる透明板が備えられている。
【０００８】
そして、請求項１の発明では、前記ケース本体のうち展示空間を挟んだ左右両側の部位に、上蓋の回動を支持する支持体が、上蓋の回動によって展示空間の上方と下方とに移動するように設けられており、展示空間よりも下方の部位に、前記支持体を上向きに付勢して上蓋の開閉動を補助するアクチェータが配置されている。
【０００９】
請求項２の発明では、請求項１において、前記左右の支持体は板材で形成されていて、その板厚方向が展示ケースの間口方向と同じになるように配置されている。
【００１０】
請求項３の発明では、前記アクチェータはガスシリンダであって、伸長しつつ前傾することによって上蓋の開き動を助長するように配置されており、更に、ケース本体の内部に、前記支持体を手前側に引っ張るばねを、上扉の開度に比例してばね力が弱くなるように配置するか、又は、上扉が途中まで開いた状態を境にして前半部では上扉の開き動を付勢し後半部では開き動を抑制するように配置している。
【００１１】
請求項４の発明では、請求項１〜３のうちのいずれかにおいて、前記支持体の後端部をケース本体の後部に軸支手段にて回動可能に取付けることにより、上扉の開閉動が許容されている。
【発明の効果】
【００１２】
本願発明によると、ガスシリンダが展示面の上方に露出することはなく、また、支持体は単純な形状に形成できるため、体裁を良くすることができる。また、請求項２のように支持体は板状に形成できるため、当該支持体を配置するための空間の左右寸法を従来よりも小さくすることができ、その結果、展示ケースを大型化することなく展示空間の左右間隔を広げることができる。
【００１３】
更に、ガスシリンダのみで上蓋を跳ね上げ回動を付勢すると、大型のガスシリンダを使用しなければならない虞があるが、請求項３のように構成すると、ガスシリンダ等のアクチェータとばねとを併用することにより、上蓋の跳ね上げ回動を付勢できるため、ガスシリンダ等のアクチェータを小型化できる利点である。
【００１４】
この場合は、上蓋の自重によるモーメントは開度が小さいほど大きく、従って、開き初めには大きな力が必要で、開度が大きくなるほど付勢力は小さくて済むが、請求項３のように構成すると、上扉の開き動に大きな力を要するときにばねで開き動を補助できる。
【００１５】
そして、上扉は開度が大きくなるに連れて自重によるモーメントは小さくなるため、上扉を開き方向に付勢する力が一定であると、上扉が急激に開いてしまう不都合が生じる虞があるが、請求項３のうち、補助用ばねばね力（弾性復元力）が上扉の開度に比例して小さくなるように設定すると、上蓋が急激に跳ね上がることを防止して好適であり、更に、上扉が半分程度開いた状態を境にしてばねのばね力が逆に働くように設定すると、上扉がアクチェータによって急激に開き動しようとする動きに対してブレーキが掛かるため、いわば上蓋をじんわりと開閉させることができて特に好適である。
【００１６】
上蓋を跳ね上げ回動させる手段としては、後端部をケース本体に例えば蝶番や支軸等によって付けることも可能であるが、請求項４のように支持体を介して上蓋をケース本体に跳ね上げ回動自在に取り付けると、開蓋状態で蝶番が露出することによる体裁の悪化を防止して美観に優れている利点がある。また、展示物を上方から覗き込むタイプの展示ケースでは、上扉は展示空間に向けて開口した箱状にっているのが一般的であるが、請求項４のように構成すると、展示物が載る展示部をその周囲囲よりもある程度高つなった高原状に形成して、閉扉状態で上扉の開口部が展示部の周囲にすっぽり被さるように構成できるため、シール性に優れていると共に、開扉状態て上扉を後方に移動させることができて展示物の交換等に便利である。
【発明を実施するための最良の形態】
【００１７】
次に、本願発明の実施形態を図面に基づいて説明する。
【００１８】
図１のうち（Ａ）は閉蓋状態での展示ケースの概略斜視図、（Ｂ）は開蓋状態での展示ケースの概略斜視図であり、展示ケースは、ケース本体１と、その上面を覆う跳ね上げ回動式の上蓋２とを備えている。
【００１９】
ケース本体１は、骨組みを構成する鋼材製の本体フレーム３を備えており、本体フレーム３の上面には展示品が載る展示板４を配置し、この展示板４の上方を展示空間５と成している。また、本体フレーム３の前面には前扉６が前倒れ可能に配置されている。前扉６はその左右に配置した回動規制部材７によて開き位置が保持されるようになっている。
【００２０】
他方、上蓋２は、閉じた状態で本体フレーム３に重なる平面視四角形の支持枠８と、支持枠８に取付けられた下向き開口で箱状の透明板９とを備えている。詳細は後述するが、上蓋２を構成する支持枠８の左右両則部がかつ後部寄りの部位には板材からなる支持体１０が固着されている。
【００２１】
以下、図２以下の図面も参照して詳細を説明する。図２は上蓋２を閉じた状態での側断面図、図３は上蓋２を開いた状態での側断面図、図４は図２のIV−IV視断面図、図５は図４の V-V視図、図６のうち（Ａ）は図１（Ａ）のVIA-VIA 視断面図、（Ｂ）は展示ケースの左右中間部における（Ａ）と同様の断面図、（Ｃ）は（Ｂ）の一部省略した状態でのＣ−Ｃ図、図７のうち（Ａ）は前扉６の取付け手段を示す側断面図、（Ｂ）は（Ａ）のＢ−Ｂ視平断面図である。
【００２２】
ケース本体１の本体フレーム３は、角形鋼管を素材にして平面視及び正面視並びに側面視で１角形の枠状に形成されており、この本体フレーム３に、背面カバー１１、側面カバー１２及び前扉６を取付けている。本体フレーム３の下部の四隅部にはアジャスター１３を取付けている。更に、本体フレーム６を構成する前後の下横長部材３ａにブラケット１４を介して掛け渡した補強部材１５にはキャスター１６を取り付けている。
【００２３】
本体フレーム３の上面には合板等からなる受け板１７が固定されており、その上面に、平面視四角形の鋼材製スペーサ１８を介して展示板４が配置されている。このため、展示板４を主要部材とする展示部は周囲よりもやや高くなった高原状に形成されており、上蓋２の開口部を構成する支持枠９が、展示板４及びスペーサ１８の外側にすっぽり嵌まり込むようになっている。
【００２４】
例えば図４や図６に示すように、上蓋２の支持枠９には上向きに開口した溝１９が四周にわたって形成されており、この溝１９に透明板４を嵌め込んでシール材で接着している。
【００２５】
例えば図４や図５に示すように、上蓋を構成する支持枠９の左右側部でかつ後端寄り部位に、支持体１０の上端が溶接等によって固定されている。支持体１０は側面視で略扇状に形成されており、本体フレーム３の外面と側面カバー１２との間に配置されている。
【００２６】
また、支持体１０の内面でかつ下端部には、本体フレーム３を構成する後部横長部材３ｂに向けて斜め上向きに延びるアーム部材２１が複数個のカラー（スペーサ）２２及びボルト２３で固定されており、アーム部材２１の後端は、軸支手段の一例としての蝶番２４により、本体フレーム３の後部横長部材３ｂの下面に取付けられている。従って、上蓋２は蝶番２４を中心にして開閉動する。
【００２７】
そして、支持体２１の回動中心（すなわち蝶番２４のピンの軸心）は本体フレーム３の上面よりも下方に位置しているため、上扉２は後方に逃げながら開き動し、前進動しつつ閉じるような動きをする。このため、閉じ切った状態では支持枠８の後部は展示板４の後面よりも後方にずれており、その結果、展示物の設置や取り外しに際して支持枠８が邪魔にならず便利である。
【００２８】
また、上扉２の支持枠８はその四周全周を後述するシール材３０に密着させることができて、展示空間のシール性（調湿性）を高い状態に保持できる。更に、蝶番２４は露出しないため美感にも優れている。また、図５から理解できるように、シール材３０を本体フレーム３の外側に配置した状態でも、上扉２を開閉することができ、このため、シール構造を全周にわたって同一することができて、部材の加工の手間を軽減できる。
【００２９】
なお、アーム部材２１は支持体１０に一体に形成することも可能である。また、支持体１０は本体フレーム３を構成する後部支柱３ｃに取付けることも可能である。更に、上蓋２を跳ね上げ回動させる手段としては、蝶番２４を使用せずに、本体フレーム３に設けたブラケットにアーム部材２１の後部をピンで取付けること、更には、支持枠８を本体フレーム３の後部横長部材３ｂに蝶番等で取付けることも可能である。
【００３０】
支持体１０の後部下端はアクチェータ（メインダンパー手段）の一例としてのガスシリンダ２５で支持（上向き付勢）されている。ガスシリンダ２５は軸方向に相対動する外筒と内筒とを備えており、上部軸受け２５ａを支持体１０に上部ピン２６で回動可能に取付け、下部軸受け２５ｂは本体フレーム３の後部支柱３ｃに下部ピン２７回動可能に取り付けている。ガスシリンダ２５は閉蓋状態では直立姿勢よりもやや前傾した姿勢に配置しており、上蓋２の開き角度が大きくなると前傾の程度が大きくなる。
【００３１】
そして、ガスシリンダ２５が伸長することにより、上蓋２の跳ね上げ回動が容易ならしめられ、また、上蓋２を閉じるに際してはガスシリンダ２５の付勢力が抵抗となることにより、上蓋２は軽快に開閉動できる。
【００３２】
図２，４，５に示すように、アーム部材２１の前端と本体フレーム３の左右側部を構成する縦長又は横長の中間部材３ｇとには、補助ダンパー手段（補助付勢手段）の一例としての引っ張りばね２８が装架されている。
【００３３】
この場合、引っ張りばね２８は、上扉２の開き途中において自然長さでばね力の水平状態になり、水平状態を挟んだ開き動前部と開き動後部とで傾斜するように配置している。従って、水平状態を挟んだ開き動前部では引っ張りばね２８は上扉２の開き動を助長するにように働き、水平状態を挟んだ開き動後部では引っ張りばね２８は上扉２の開き動を抑制するように働く。
【００３４】
図３に示すように、上蓋２を回動させると、ガスシリンダ２５は前傾の程度を大きくしつつ伸長し、また、引っ張りばね２８はその長さを短くしつつ水平に近い姿勢に移行していく。
【００３５】
ところで、上蓋２にその自重によって作用するモーメントは開き初めが最も大きく、開度が大きくなるとモーメントも小さくなる。従って、上蓋２の開きを助長するために必要な付勢力と上蓋２を閉じるに際して必要な抵抗とは、上蓋２の開度と反比例する。
【００３６】
そして、本実施形態のようにガスシリンダ２５と引っ張りばね２８とを組み合わせると、ガスシリンダ２５は開度が大きくなると前傾角度が大きくなるため、ガスシリンダ２５による上蓋２の付勢力は僅かずつながら上蓋２の開度と比例にして大きくなる一方、引っ張りばね２８による付勢力は水平状態までは上蓋２を開くように作用するため上扉２を軽い力で開くことができ、上扉２の自重によるモーメントが小さくなった状態では上扉２の開き動を抑制してバタンと急激に開くことを防止できる。
【００３７】
また、閉じるに際しては、閉じ初めは引っ張りばね２８が上扉２の閉じ動を促進するように働いて閉じ操作を軽い力で行うことができ、閉じ終わりの頃には引っ張りばね２８が閉じ動を抑制するブレーキとして作用するため、この場合も、バタンと急激に閉じることを防止できる。このように、上扉２を開閉の全行程にわたってジンワリと軽快に開閉させることができる。
【００３８】
引っ張りばね２８が水平になる前記開度（すなわち、上扉２に対してばね力が逆に作用する分岐点となる上扉２の開度）は、本実施形態では、開閉の中間点よりもやや閉じ位置に近い点に設定しているが、分岐開度は開閉の略中点でも良いし、逆に、開閉の中間点から開き方向に若干ずれていても良い。なお、開き付勢用のばねと開き抑制用のばねとを別々に配置して、開閉動に際して両者を個別に働かせることも可能である。
【００３９】
支持体１０は板状であるためその配置スペースの左右横幅はごく僅かで良く、このため、展示ケースを大型化することなく展示空間の間口を広くすることができる。また、支持体１０はシンプルな形態であるため、開蓋状態で露出しても違和感はなく、かつ、閉蓋状態で支持体１０は全く視認できないのであり、これらが相俟って、美感に優れている。
【００４０】
図６（Ａ）に部分的に例示するように、本体フレーム３の上部の四周に張り出すように設けた受け板２９に、上蓋２の支持枠８が当たるシール材３０を設けている。なお、受け板３０を本体フレーム３の外側に張り出して、この受け板３０にシール材３０を設けても良い。
【００４１】
本体フレーム３の上部前端部でかつ左右中間部には、上蓋２を閉じ状態に保持するためのラッチ装置３１を配置している。ラッチ装置３１は、レバー３２の引き操作によって回動する爪３３を設けており、上蓋２の支持枠８の前部けで左右中間部には、ラッチ装置３１の爪３３に係脱する係止体３４を下向きに突設している。
【００４２】
上蓋２を開くに際してはラッチ装置３１のロックを解除する必要があり、そのためには前扉６をある程度開く必要がある。この前扉６の開閉機構を次に説明する。
【００４３】
前扉６はその下端を中心にして前後回動する。そして、前扉６を前後回動自在に支持する手段として、本実施形態では、図７に示すように、前扉６の左右下端部に、本体フレーム３における前部支柱３ｆの外面に沿って延びる受け爪３５を固着し、この受け爪３５に形成した下向き開口の係合溝３６を、支柱３ｆに突設して支持ピン３７に落とし込んでいる。支持ピン３７はビスで代替している。
【００４４】
そして、前扉６の回動姿勢を規制する手段として、前扉６き左右側部でかつ上部に、前支柱３ｆの内面に沿って後方に延びるアーム状の規制部材７を固定している。規制部材７は板材製であり、その先端には上向きの爪部７ａを設けており、支柱３ｆの内側面に横向き突設したストッパーピン（ビスで代替している）３８に爪部７ａが当たることにより、前扉６の開き位置が規制される。
【００４５】
そして、規制部材７の付け根寄り部位は、ストッパーピン３８が嵌まるガイド溝３９を形成して二股状になっているが（すなわち，規制部材７は十手状になっている）、ガイド溝３９の奥部（手前側の部分）を上向きに入り込んだ抉り部３９ａとすることにより、前扉６を閉じた状態に保持している。
【００４６】
前扉６の下端に手を当てて持ち上げると、ガイド溝３９の抉り部３９ａとストッパーピン３８との係合が解除されるため、前扉６はそのまま開くことができ、ラッチ装置３１を操作して上蓋２を開くことができる。開いた状態の前扉６を  押すと、ストッパーピン３８は規制部材７におけるガイド溝３９の上面にガイドされて、若干持ち上がった状態で閉じ移動してから、抉り部３９ａがストッパーピン３８に至ると自重で下降動し、閉じた状態に保持される。
【００４７】
前扉６の取付け手段としては、例えば蝶番で回動可能に本体フレームに取付けて、ワイヤーのような規制手段を設け、更に、ロック装置でロックするというたことも考えられるが、これでは組立が面倒で、また、ロック装置き鍵穴が前扉に空くため美感の悪化やいたずらされる虞があると言った問題がある。
【００４８】
これに対して本実施形態のように構成すると、前扉６は、規制部材７を本体フレーム３の内部に差し込んでから受け爪３５を係止ピン３７に落とし込むだけのワンタッチ的な操作で取付けることができ、また、前扉６を持ち挙げて手前にひくだけの簡単な操作で開閉でき、更に、前扉６には鍵穴は不要であるためすっきりとさせて美感に優れている利点がある。
【００４９】
上記の実施形態では開閉補助手段として引っ張りばねを設けた場合であったが、図８に示すように、ガスシリンダに加えてまたはこれ代えて、バランスウエイト４１を設けることも可能である。バランスウエイト４１はリンク４２の前端に取付けられており、リンク４２はその前後中途部がピン４３によってケース本体１に軸支されている。
【００５０】
以上、本願発明の実施形態を説明したが、本願発明の具体例がこの実施形態に限定されるものではなく、他にも様々に具体化することができる。例えば、アクチェータとしてはガスシリンダに限らず、ばね手段を設けることも可能である。また、上蓋は実施形態のような箱状の形態である必要はなく、単なる板状であっても良い（上蓋が板状の場合は、展示空間の周囲は壁体で囲われているのが一般的になる）。支持体は必ずしも板状である必要はなく、例えば丸棒製としたり、偏平な中空管製とすることなども可能である。
【図面の簡単な説明】
【００５１】
【図１】実施形態に係る展示ケースの斜視図である。
【図２】上蓋を閉じた状態での側断面図である。
【図３】上蓋を開いた状態での側断面図である。
【図４】図２のIV−IV視断面図である。
【図５】図４の V-V視図である。
【図６】(A)）は図１（Ａ）のVIA-VIA 視断面図、 (B)は展示ケースの左右中間部における（Ａ）と同様の断面図、（Ｃ）は（Ｂ）の一部省略した状態でのＣ−Ｃ図である。
【図７】(A)は前扉の取付け手段を示す側断面図、 (B)は (A)の B-B視平断面図である。
【図８】他の実施形態を示す概略側断面図である。
【符号の説明】
【００５２】
１  ケース本体
２  上蓋
３  本体フレーム
４  展示板
５  展示空間
８  支持枠
９  透明板
１０  支持体
２１  アーム部
２５  ガスシリンダ
２８  引っ張りばね
【図１】
2006110250.tif 000003
【図２】
2006110250.tif 000004
【図３】
2006110250.tif 000005
【図４】
2006110250.tif 000006
【図５】
2006110250.tif 000007
【図６】
2006110250.tif 000008
【図７】
2006110250.tif 000009
【図８】
2006110250.tif 000010